(57)【特許請求の範囲】
【請求項１】
所定の間隔を置いて配設された一対の支持板と、該一対の支持板の一端部に回転自在に軸支された駆動ローラと、該一対の支持板の他端部に該駆動ローラと間隔をおいて回転自在に軸支された從動ローラと、該駆動ローラと該從動ローラとの間に配設され該一対の支持板に回転自在に軸支された転写ローラと、該駆動ローラと該從動ローラおよび転写ローラに張設せしめられ像担持体と対向して配設された転写ベルトとからなるベルトユニットとを具備し、該転写ベルトと該像担持体との間に供給される複写紙に該像担持体上に形成されたトナー像を転写し、トナー像が転写された転写紙を搬送する画像形成機の転写装置において、
該ベルトユニットの該転写ベルトは、その幅が該一対の支持板の間隔より大きく形成され、その側端部が該一対の支持板のそれぞれ厚さ方向の少なくとも一部を包囲して配設されており、
該駆動ローラと該從動ローラおよび該転写ローラは、外周面の一部が該一対の支持板から外方に突出している、
ことを特徴とする画像形成機の転写装置。
【請求項２】
該ベルトユニットは、該駆動ローラと從動ローラとの間に配設され該一対の支持板に回転自在に軸支され所定の電圧が印加される転写ローラを具備し、該転写ローラを回転自在に軸支する軸受は、該一対の支持板に各々内面から外方に向けて所定の距離を置いた位置に埋め込まれて配設されている、請求項１記載の画像形成機の転写装置。
【請求項３】
該一対の支持板には、該転写ベルトの側方への移動を規制する蛇行防止部材がされている、請求項１記載の画像形成機の転写装置。
【発明の詳細な説明】
【０００１】
【産業上の利用分野】
本発明は、電子写真装置や静電記録装置等の画像形成機に装備される転写装置、更に詳しくは、像担持体上に形成されたトナー像を転写紙に転写し、トナー像が転写された転写紙を搬送する画像形成機の転写装置に関する。
【０００２】
【従来の技術】
この種画像形成機は、像担持体に形成されたトナー像を転写紙に転写する方式として、コロナ放電による転写方式が一般に用いられている。しかるに、このコロナ放電による転写方式は、高湿度時における転写性が悪く、また、コロナワイヤの汚れや転写紙の皺等で転写不良を生じ易いという問題がある。このような問題を解決するものとして、駆動ローラと、該駆動ローラと間隔をおいて配設された從動ローラと、該駆動ローラと該從動ローラとに張設せしめられた転写ベルトと、該転写ベルトを挟んで像担持体と対向して配設された転写ローラとを備えた転写ベルトユニットを像担持体と対向して配設し、上記転写ローラに高電圧を印加して転写ベルトを所定の極性に帯電することにより、像担持体と転写ベルトの間に供給された転写紙に像担持体の表面に形成されているトナー像を順次吸引して転写するようにした転写方式が例えば特開平４ー３４５１８３号公報に開示されている。上記各ローラはその回転軸が支持板に回転自在に軸支され、上記転写ベルトは上記支持板間において上記各ローラに張設せしめられており、転写ベルトの側端と支持板との間には隙間を有している。
【０００３】
【発明が解決しようとする課題】
上記のような転写方式の転写装置においては、転写ベルトは像担持体と直接触するため、その表面にトナーは付着し易くこのトナーが転写ベルトと支持板との隙間から支持板に装着した上記各ローラの軸受に侵入する。その結果、軸受の機能が損なわれ上記各ローラの回転不良が生じて、転写ベルトの蛇行や片寄り等の不具合が発生しする。また、転写ベルトの側端と支持板との隙間から転写ベルトの内側にトナーが侵入し、このトナーが転写ローラに付着して転写不良が発生するという問題がある。
【０００４】
本発明は、上記の点に鑑みてなされたもので、その主たる技術的課題は、転写装置を構成する各ローラの軸受へのトナーの侵入および転写ローラへのトナーの付着を防止することができる画像形成機の転写装置を提供することにある。本発明の他の技術的課題および特徴については、以下に述べる説明により明らかにされる。
【０００５】
【課題を解決するための手段】
上記主たる技術的課題を達成するために、本発明によれば、所定の間隔を置いて配設された一対の支持板と、該一対の支持板の一端部に回転自在に軸支された駆動ローラと、該一対の支持板の他端部に該駆動ローラと間隔をおいて回転自在に軸支された從動ローラと、該駆動ローラと該從動ローラとの間に配設され該一対の支持板に回転自在に軸支された転写ローラと、該駆動ローラと該從動ローラおよび転写ローラに張設せしめられ像担持体と対向して配設された転写ベルトとからなるベルトユニットとを具備し、該転写ベルトと該像担持体との間に供給される複写紙に該像担持体上に形成されたトナー像を転写し、トナー像が転写された転写紙を搬送する画像形成機の転写装置において、
該ベルトユニットの該転写ベルトは、その幅が該一対の支持板の間隔より大きく形成され、その側端部が該一対の支持板のそれぞれ厚さ方向の少なくとも一部を包囲して配設されており、
該駆動ローラと該從動ローラおよび該転写ローラは、外周面の一部が該一対の支持板から外方に突出している、
ことを特徴とする画像形成機の転写装置が提供される。
【０００６】
また、本発明によれば、上記ベルトユニットは、該駆動ローラと從動ローラとの間に配設され該一対の支持板に回転自在に軸支され所定の電圧が印加される転写ローラを具備し、該転写ローラを回転自在に軸支する軸受は、該一対の支持板に各々内面から外方に向けて所定の距離を置いた位置に埋め込まれて配設されている、画像形成機の転写装置が提供される。
【０００７】
更に、本発明によれば、上記一対の支持板には、転写ベルトの側方への移動を規制する蛇行防止部材がされている、画像形成機の転写装置が提供される。
【０００８】
【作用】
本発明による画像形成機の転写装置においては、ベルトユニットを構成する転写ベルトは、その幅が該一対の支持板の間隔より大きく形成されており、その側端部が該一対の支持板の少なくとも一部を包囲いて配設されているので、転写ベルトに付着したトナー粉が一対の支持板と転写ベルトによって形成される空間内に侵入し難くなっている。
【０００９】
【実施例】
以下、本発明に従って構成された画像形成機の転写装置の好適実施例を示している添付図面を参照して、更に詳細に説明する。
【００１０】
図１は本発明による転写装置を装備した画像形成機の一実施例を示す概略構成図、図２は本発明による転写装置を装備した画像形成機の正面図である。
【００１１】
図１に示す画像形成機２は、回転自在に装着された感光体ドラムからなる像担持体３を具備している。該像担持体３の周囲には、その矢印Ａに示す回転方向に見て順次に、帯電用コロナ放電器４、現像装置５、本発明に従って構成された転写装置６、クリーニングユニット７および除電ランプ８が配設されている。図示の画像形成機２は、上記像担持体３の上方に配設された照射ランプ９、第１のミラー１０、第２のミラー１１、第３のミラー１２、レンズ１３、第４のミラー１４からなる光学系を具備している。この光学系は、照射ランプ９によって図示しない原稿載置透明板上に置かれた原稿に照射し、その反射光像を第１のミラー１０、第２のミラー１１、第３のミラー１２、レンズ１３および第４のミラー１４を介して上記像担持体３上に結像するように構成されている。画像形成機２は、上記転写装置６に転写紙を供給するための転写紙供給装置１５を備えている。該転写紙供給装置１５は、転写紙を収納する転写紙カセット１６、転写紙送出ローラ１７、給紙ローラ対１８、案内路１９、搬送ローラ対２０、案内路２１、レジストローラ対２２を具備している。また、上記転写装置６の転写紙送出側には定着ローラ対２３および排出ローラ対２４が配設されている。このように構成された画像形成機は、図１において１点鎖線より下側に配置されている各部材が図２で示すクラムシェルタイプの機体ハウジングを構成する下側ハウジング２５に配設され、図１において１点鎖線より上側に配置されている各部材が上側ハウジング２６に配設される。なお、上側ハウジング２６は、図２において右側下端が下側ハウジング２５に軸２７によって旋回可能に装着されている。上記転写装置６は図２において２点鎖線で示すように下側ハウジング２５の中央部に配設される。また、下側ハウジング２５の前側板には、上記転写紙カセット１６を装着するための開口２８が形成されている。
【００１２】
以上のように構成された画像形成機２は、像担持体３が矢印Ａ方向に回転駆動せしめられる間に、帯電用コロナ放電器４が像担持体３上の感光体を特定極性に実質上均一に帯電し、次いで、照射ランプ９によって図示しない原稿載置透明板上に置かれた原稿に照射し、その反射光像が第１のミラー１０、第２のミラー１１、第３のミラー１２、レンズ１３および第４のミラー１４を介して前記像担持体３上に走査露光され、像担持体３上に静電潜像が形成される。しかる後、像担持体３上の静電潜像が現像装置５によってトナー像に現像される。一方、転写紙供給装置１５の転写紙カセット１６に収納された転写紙が転写紙送出ローラ１７から送り出され、給紙ローラ対１８、案内路１９、搬送ローラ対２０、案内路２１およびレジストローラ対２２を通って転写装置６に搬送される。転写装置６に搬送された転写紙は、トナー像が形成された像担持体３と転写装置６の後述する転写ベルトの間を通過することによってトナー像が転写され、次いで定着ローラ対２３により定着されて、排出ローラ対２４から排出される。また、上述のようにして転写工程が終了した像担持体３は、クリーニングユニット７によってその感光体表面に付着しているトナーが除去され、更に、除電ランプ８によって感光体表面に除電光が照射され、除電される。
【００１３】
次に、上記転写装置６について図３乃至図２０を参照して説明する。図３は転写装置を構成する転写ベルトユニットの斜視図、図４は転写ベルトユニットの平面図、図５は転写ベルトユニットの一部を破断して示す正面図、図６は転写ベルトユニットの断面図である。図示の転写ベルトユニット２９は、ベルトユニット３０と該ベルトユニット３０を収納支持するユニットハウジング６０とを具備している。
【００１４】
上記ベルトユニット３０について、主に図７、図８および図９を参照して説明する。図示のベルトユニット３０は、図７に明確に示されているように支持フレーム３１を具備している。この支持フレーム３１は、基部３２と該基部３２の前端および後端に各々形成された端壁３３および３４とを有しており、これらは合成樹脂によって一体成形されている。端壁３３および３４には、上方に開放する切欠部３３１、３３２、３３３および３４１、３４２、３４３が各々形成されている。この端壁３３および３４には、後述する各ローラを支持する合成樹脂によって形成され所定の間隔を置いて配設された一対の支持板３５および３６がビス３７、３８（図７には支持板３６側のみを示している）によって取り付けられている。この支持板３５および３６の中央部には、各々前側（図７において左上側）および後側（図７において右下側）に突出する円筒状のストッパ３５１および３６１が一体成形されている。このストッパ３５１および３６１は、上記像担持体３を回転自在に支持するホルダの下面に当接してベルトユニット３０と像担持体３との位置関係を規定する機能を有している。また、支持フレーム３１の端壁３３および３４には、後述する駆動ローラを支持する合成樹脂によって形成され所定の間隔を置いて配設された一対の支持板３９および４０が装着されている。該支持板３９および４０は、上記支持板３５および３６側端部においてピン４１（図７には支持板４０側のみを示している）によって回動可能に連結されており、ビス４２（図７には支持板３６側のみを示している）によって固定されるようになっている。なお、図示の実施例においては、一対の支持板が支持板３５および３６と支持板３９および４０とに分割して構成されているが、これは、後述する転写ベルトの装着を容易にするためである。支持板３９および４０の外側面には、円盤上の装着部３９１および４０１が各々設けられており、この装着部３９１および４０１には各々その外周に平行な二面３９２、３９２および４０２、４０２が形成されている（図４参照）。
【００１５】
上記支持板３９と４０との間には、駆動ローラ４３が配設されている。該駆動ローラ４３は、図８に示すようにアルミ合金からなる中空材によって形成されており、その前端（図８において左端）および後端（図８において右端）に回転軸４３１および４３２が取り付けられている。前側の回転軸４３１は、上記支持板３９に配設された軸受４４によって回転自在に軸支されている。前側の回転軸４３１には歯車４５が装着されており、この歯車４５はその側面に形成された係合溝４５１が回転軸４３１を径方向に貫通して配設されたピン４５２と係合することにより回転軸４３１と一体的に回転するように構成されている。また、回転軸４３１の前端部には、取付ボルト挿通用の穴４６１および４６２を備えた着脱部材４６が回転自在に装着されている。この着脱部材４６には、円錐面を有する案内部４６３と該案内部４６３の外周に連続して形成された嵌合部４６４とからなる位置規制手段４６５が設けられている。このように構成された着脱部材４６の機能については後述する。後側の回転軸４３２は、上記支持板４０に配設された軸受４４１によって回転自在に軸支されている。後側の回転軸４３２には位置規制部材４７が回転自在に装着されており、該位置規制部材４７は上記装着部４０１との間に配設されたコイルばね４７５によって図８において右方に押圧されている。この位置規制部材４７は、円錐面を有する案内部４７１と該案内部４７１の外周に連続して形成された嵌合部４７２とフランジ部４７３とからなっている。このように構成された位置規制部材４７の機能については後述する。また、後側の回転軸４３２には被駆動歯車４８が装着されており、この歯車４８はその側面に形成された係合溝４８１が回転軸４３２を径方向に貫通して配設されたピン４８２と係合することにより回転軸４３２と一体的に回転するように構成されている。
【００１６】
上記支持板３５と３６との間には、従動ローラ４９、転写ローラ５０、テンションローラ５１およびアースローラ５２が配設されている。なお、上記各ローラの支持板３５側支持構造と支持板３６側支持構造とは図示の実施例においては同一構造であるため、支持板３６側支持構造のみを図９に示してある。
【００１７】
上記従動ローラ４９は、アルミ合金からなる円柱材によって形成され、その両端部は縮径された回転軸４９１となっており、該回転軸４９１が上記支持板３６（３５）に装着された軸受５３によって回転自在に軸支されている。
【００１８】
上記転写ローラ５０は、鋼材からなる円柱材によって形成された回転軸５０１と該回転軸５０１の外周面に導電性の接着剤によって装着されたスポンジ状のローラ部５０２とからなっている（図６参照）。ローラ部５０２は、発泡ウレタン、発泡シリコン等の発泡体によって形成されたロール部材にカーボン等の導電性物質を含浸せしめて構成されており、その体積電気抵抗値が１０２  〜１０９  Ωｃｍに設定されている。なお、上記ローラ部５０２を構成するロール部材に導電性物質を含浸せしめる方法としては、例えば、カーボン等の導電性物質の粉末を溶かした溶液に発泡ウレタン、発泡シリコン等の発泡体によって形成されたロール部材を漬け、該ロール部材に導電性物質の粉末を溶かした溶液を浸透せしめた後に乾燥する方法を用いることができる。また、ローラ部５０２の硬さは、線圧３ｇ／ｃｍで圧縮量が０．４５ｍｍ〜２．００ｍｍの範囲に設定されている。このように、転写ローラ５０のローラ部５０２をその硬さが線圧３ｇ／ｃｍで圧縮量が０．４５ｍｍ〜２．００ｍｍの発泡ウレタン、発泡シリコン等の発泡体等の比較的柔らかい材料によって構成するのは次の理由からである。即ち、本発明者等の試験によると、転写ローラのローラ部を硬質ゴム等の比較的硬い材料によって構成すると、転写ポイントでの圧力が高く、通常の転写紙では問題はないが、オーバーヘッドプロジェクタ（ＯＨＰ）用フィルム等のようにトナーが付着しにくい場合には、線の中央が像担持体側に残る所謂中抜け現象が発生し易いことが判った。そこで、本発明者等は、発砲ウレタンによって制作した種々の転写ローラについて試験した。なお、転写ローラのローラ部の体積電気抵抗値を１０５  Ωｃｍ、転写ベルトの体積電気抵抗値を１０１１Ωｃｍ、転写ローラの印加電圧を２．５ｋＶとした。試験の結果、ローラ部の硬さが線圧３ｇ／ｃｍで圧縮量が０．４５ｍｍより硬いとオーバーヘッドプロジェクタ（ＯＨＰ）用フィルムへの転写時に所謂中抜け現象が発生し、ローラ部の硬さを低くすると所謂中抜け現象は発生しなかった。しかしながら、線圧３ｇ／ｃｍで圧縮量が２．００ｍｍを越えてローラ部の硬さが低くなると、所定の摩擦力が得られず転写ベルトとの連れ回りが困難となり、また、転写ベルトとローラ部で発生する剪断力によりローラ部の表面が破損することが判った。従って、転写ローラのローラ部の硬さは、線圧３ｇ／ｃｍで圧縮量が０．０．４５ｍｍ〜２．００ｍｍの範囲が望ましいことが判った。転写ローラ５０を構成する回転軸５０１の両端部は、上記支持板３６（３５）に装着された軸受５４によって回転自在に軸支されている。軸受５４は、上記円筒状のストッパ３６１（３５１）に対向した位置で上記支持板３６（３５）の内面からストッパ３６１（３５１）側、即ち外方に向けて所定の距離を置いた位置に埋め込まれて配設されている。従って、上記支持板３６（３５）の内側からトナー粉や埃が軸受５４に侵入し難くなっている。なお、上記転写ローラ５０の回転軸５０１には、図１に示す電圧印加手段２００によって所定の電圧が印加されるように構成されている。
【００１９】
上記テンションローラ５１は、上記従動ローラ４９と転写ローラ５０との間に配設されており、アルミ合金からなる円柱材によって形成され、その両端部は縮径された回転軸５１１となっており、該回転軸５１１が上記支持板３６（３５）に装着された軸受５５によって回転自在に軸支されている。
【００２０】
上記アースローラ５２は、上記転写ローラ５０と駆動ローラ４３との間に配設されてており、アルミ合金からなる円柱材によって形成され、その両端部は縮径された回転軸５２１となっており、該回転軸５２１が上記支持板３６（３５）に装着された軸受５６によって回転自在に軸支されている。該アースローラ５２はは、適宜のアース手段によってアースされている。なお、アースローラ５２とテンションローラ５１および転写ローラ５０の位置関係は次のように構成されている。即ち、転写ローラ５０はその外周面の上端が、アースローラ５２とテンションローラ５１の外周面上端を結ぶ直線より図において下側に位置するように配設されている。従って、上記各ローラに後述する転写ベルト５７が張設された状態では、転写ローラ５０は転写ベルト５７から離隔している（図６参照）。
【００２１】
上記のようにして支持板３９および４０と支持板３５および３６に装着された駆動ローラ４３、従動ローラ４９、転写ローラ５０、テンションローラ５１およびアースローラ５２には、無端状の転写ベルト５７が巻き掛けられている。この転写ベルト５７は、ポリクロロプレン等の半導電性材料によって形成されており、その体積電気抵抗値が１０９  〜１０１２Ωｃｍに設定されている。転写ベルト５７を上記各ローラに装着するに際しては、上記支持板３９および４０を支持フレーム３１の端壁３３および３４に固定しているビス４２を弛めて支持板３９および４０と支持フレーム３１の端壁３３および３４との固定を解除し、支持板３９および４０をピン４１を中心として回動せしめる。このように支持板３９および４０をピン４１を支点として旋回することにより転写ベルト５７を上記各ローラに容易に被嵌することができる。次に、支持板３９および４０をピン４１を支点として元の位置まで回動してビス４２をを締めつけることにより、転写ベルト５７に所定の張力を与えて装着することができる。なお、図７および図９において２点鎖線で示すように、転写ベルト５７の幅寸法は、上記支持板３５および３９と支持板３６および４０との間隔より大きく構成されており、その両側端は支持板３５および３９と支持板３６および４０の中央部に位置し、各支持板のそれぞれ厚さ方向の一部を包囲している。従って、転写ベルト５７に付着したトナー粉が支持板３５、３９および支持板３６、４０と転写ベルト５７によって形成される空間内に侵入し難くなっている。なお、転写ベルト５７の両側端部が支持板３５および３９と支持板３６および４０の一部を包囲して構成することに関連して、上記駆動ローラ４３、従動ローラ４９、転写ローラ５０、テンションローラ５１およびアースローラ５２は、その外周面の一部が転写ベルト５７が包囲している部分の支持板３５および３９と支持板３６および４０の対応する外端より外方に僅かに突出するように配設されている。従って、転写ベルト５７は上記各ローラに接触した状態で作動せしめられる。また、転写ベルト５７の作動時に転写ベルト５７の蛇行するのを防止するために、上記支持板３９および４０の上面には転写ベルト５７の側方への移動を規制する蛇行防止部材５８、５８が取り付けられている。従って、転写ベルト５７が片方に移動して上記支持板３５、３９または３６、４０の内端と転写ベルト５７の側端との間に隙間が生じることはなく、転写ベルト内へのトナー粉の侵入を未然に防止することができる。
【００２２】
次に、上記ベルトユニット３０を収納支持するユニットハウジング６０について、図１０をも参照して説明する。図示の実施例におけるユニットハウジング６０は、図１０に示すように前側壁６３と後側壁６４と底壁６５と左側壁６６および右側壁６７とを有し、上方が開放しており、これらは合成樹脂によって一体形成されている。前側壁６３および後側壁６４の図１０のおいて左側壁６６側上部には、上記ベルトユニット３０の駆動ローラ４３を軸支する支持板３９および４０に設けられた装着部３９１および４０１を回動可能に支持する円形支持穴６３１および６４１が形成されている。この円形支持穴６３１および６４１は、上記装着部３９１および４０１の直径と対応し、各々上方が開放されており、その開放幅は装着部３９１および４０１に形成された平行な二面３９２、３９２および４０２、４０２の二面幅に対応している。従って、上記装着部３９１および４０１の平行な二面３９２、３９２および４０２、４０２を上記円形支持穴６３１および６４１の開放部に対応させて上方から円形支持穴６３１および６４１に挿入嵌合し、該装着部３９１および４０１を支点としてベルトユニット３０を略９０°旋回することにより、ベルトユニット３０をユニットハウジング６０に装着することができる。また、前側壁６３および後側壁６４の右側壁６７側端部は各々前側および後側に突出して形成されており、その上部には上記ベルトユニット３０のストッパ３５１および３６１の移動を許容するための切欠部６３２および６４２が各々形成されている。前側壁６３の上記切欠部６３２が形成されている突出部には、底壁６５よりも下方に突出する取付部６３４が設けられており、この取付部６３４には図５に示すように楕円形の位置決め穴６３５および楕円形の取付ボルト挿通用の穴６３６が形成されている。また、前側壁６３の図５において中央よりやや左側の部分は下方に突出して形成されており、該突出部には後述する摺動レールと対応する位置に係合穴６３３が設けられている。上記底壁６５には、上記前側壁６３に形成された係合穴６３３と対応する位置に下方に突出して形成され前側端部から後側端部に延びる摺動レール６５４が設けられている。この摺動レール６５４は、両側部に下方に突出するガイド６５５、６５６と、該ガイド６５５、６５６間に形成された摺動面６５７を備えており、該摺動面６５７が上記前側壁６３に形成された係合穴６３３の上端と略同一位置に形成されている。また、上記底壁６５には、中央部に開口６５１が形成され、上記右側壁６７側の前後端部に開口６５２および６５３が形成されている。この開口６５１、６５２および６５３の機能については後述する。
【００２３】
上記ユニットハウジング６０の左側壁６６側には、図６に示すように廃トナー収容部６８が左側壁６６に沿って前後方向に形成されている。この廃トナー収容部６８の下部には、トナー搬送部材６９が配設されている。トナー搬送部材６９は、回転軸６９１と該回転軸６９１に装着された螺旋羽根６９２とを備えている。このトナー搬送部材６９は、回転軸６９１の一端部が上記前側壁６３に回転自在に軸支されており、その他端部は廃トナー収容部６９に開口し上記後側壁６４から後方に突出して設けられた案内筒６９３によって螺旋羽根６９２の一部が回転可能に支持されている（図１０参照）。回転軸６９１の一端には被駆動歯車７０が装着されており、該被駆動歯車７０は図５に示すように前側壁６３に軸７１３によって回転自在に軸支され中間歯車７１の小歯車７１１と噛み合っている。なお、中間歯車７１は上記小歯車７１１と一体に大歯車７１２を備えており、該大歯車７１２が上記駆動ローラ４３の回転軸４３１に装着された歯車４５と噛み合うように構成されている。また、回転軸６９１の他端部は上記案内筒６９３の先端より突出しており、その先端に上記案内筒６９３の外径と略同一の外径を有する閉塞盤６９４が装着されている。なお、案内筒６９３には図３に示すように閉塞筒７２が嵌合される。この閉塞筒７２はその内端から軸方向に形成された係合溝７２１を備えており、該係合溝７２１が上記案内筒６９３に設けられた突条６９５と係合することにより、軸方向には移動できるが回動が規制されている。また、閉塞筒７２はその内端にはフランジ７２２を備えており、該フランジ７２２と上記後側壁６４との間に配設されたコイルばね７２３によって後方に押圧されている。
【００２４】
上記ユニットハウジング６０には、上記廃トナー収容部６８に沿って上記ベルトユニット３０の転写ベルト５７を清掃するためのクリーニング手段７３が配設されている。図示の実施例におけるクリーニング手段７３は、共通のホルダ７４と、クリーニングブレード７５と、紙粉除去部材７６を具備している。共通のホルダ７４は、上記転写ベルト５７の幅と略同じ寸法の長さを有するチャンネル状部材からなっており、装着部７４１と支持部７４２を備えている。該ホルダ７４の支持部７４２には、その中央部に取付部材７７が固着されている。取付部材７７には、その基部に長手方向に貫通し一部に開口部７７２を備えた断面円形の穴７７１が設けられており、また、取付部材７７の中央部には被作動レバー７７３が一体的に形成されている。この取付部材７７を回動可能に支持するための支持軸７８（図６参照）が上記ユニットハウジング６０の底壁６５に設けられている。該支持軸７８は、底壁６５から立設して形成された支持壁７９、７９と一体成形されており、上記穴７７１の直径と対応し且つ外周に上記開口部７７２の開口幅に対応する平行な二面が形成されている。取付部材７７を支持軸７８に取り付けるには、上記開口部７７２を上記支持軸７８に形成された平行な二面に対応させて上方から穴７７１を支持軸７８に嵌合し、取付部材７７を略９０°旋回することにより、図６および図１０に示すように被作動レバー７７３が上記底壁６５に形成された開口６５１から突出するように位置付けられる。クリーニングブレード７５はウレタンゴム等によって形成され上記転写ベルト５７の幅と略同じ寸法の長さを有しており、上記ホルダ７４の装着部７４１に接着剤等によって固着されている。このクリーニングブレード７５は、転写時にはエッジが転写ベルト５７に圧接されて（図２０参照）転写ベルト５７に付着しているトナーを掻き落とす。紙粉除去部材７６はスポンジ等の発泡材によって構成され上記クリーニングブレード７５と同様に転写ベルト５７の幅と略同じ寸法の長さを有しており、上記ホルダ７４の装着部７４１に接着剤等によって固着されている。この紙粉除去部材７６は、上記クリーニングブレード７５より転写ベルト５７の作動方向下流側に配設されて、上記クリーニングブレード７５の厚さより厚く形成されおり、転写時および非転写時のいずれにおいても一部が転写ベルト５７に接触しているように構成されている。紙粉除去部材７６は、クリーニングブレード７５では除去し難い転写ベルト５７に付着している紙粉を除去し、また、上記クリーニングブレード７５が転写ベルト５７から離隔した際に接触位置に溜まっていたトナーをならす機能を有している。ユニットハウジング６０左側壁６６の上端には、上記廃トナー収容部６８の上方を覆うシール板８０が装着されている。このシール板８０は、前側壁６３から後側壁６４にわたって延びており、上記転写ベルト５７と対向する面および上記クリーニングブレード７５と対向する部分にパイルウール、スポンジおよびフェルト等のシール材８１が装着されている。そして、図６に示すように非転写時にクリーニングブレード７５のエッジ部がシール材８１に接触するように構成されている。従って、クリーニングブレード７５の���ッジ部に付着したトナーや紙粉等を非転写時毎に除去することができる。
【００２５】
次に、上記のように構成された転写ベルトユニット２９をクラムシェルタイプの下側ハウジング２５に装着するためのスライダ機構について図１１乃至図２０をも参照して説明する。下側ハウジング２５は、前側板８５と、該前側板８５と間隔を置いて配設された後側板８６と、前側板８５と後側板８６間に配設された基板９０を具備している。前側板８５には、図１２に示すように転写ベルトユニット２９における上記着脱部材４６の嵌合部４６４に対応し上方が開放して形成された円形支持穴８５１と、上記ユニットハウジング６０の前側壁６３に形成された取付部６３４に対応する矩形状の切欠部８５２および後述するスライダの係止部と係合する穴８５３が設けられている。後側板８６には、図１３に示すように転写ベルトユニット２９における上記位置規制部材４７の嵌合部４７２対応する穴８６１と、上記閉塞筒７２を挿通可能にするための穴８６２が設けられている。
【００２６】
上記下側ハウジング２５の基板９０上には、前側板８５と後側板８６間に延びるスライダ８７が配設されている。スライダ８７は、断面チャンネル状の鋼材によって構成されており、その幅は上記摺動レール６５４のガイド６５５、６５６間に形成された摺動面６５７の幅と対応した寸法に形成されており、その上板８７１の上面は上記摺動レール６５４の摺動面６５７を載置するための載置面８７１ａとなっている。スライダ８７の両側板８７２、８７２には、後端部（図１１において上側、図１５乃至図１８において右側）に各々前後方向に延びる第１の長穴８７３、８７３および第２の長穴８７４、８７４が設けられている。後端側に設けられた第１の長穴８７３、８７３は上記載置面８７１ａと平行な直線状に形成されている。該第１の長穴８７３、８７３よりも前端側に設けられた第２の長穴８７４、８７４は、上記載置面８７１ａと平行な第１の平行部８７４ａと、該第１の平行部８７４ａの前端から上方に傾斜する傾斜部８７４ｂと、該傾斜部８７４ｂの上端から前端側に向けて上記載置面８７１ａと平行な第２の平行部８７４ｃとによって形成されている。両側板８７２、８７２の後端には、上記載置面８７１ａより上方に突出するストッパ８７５、８７５が各々設けられている。また、両側板８７２、８７２の前端には、上記前側板８５に形成された穴８５３（図１２および図１５参照）に嵌合し、スライダ８７を傾斜させた状態で保持する係止凹部８７６ａを備えた係止部８７６が設けられている。上記上板８７１の前端には、上記ユニットハウジング６０の前側壁６３に形成された係合穴６３３と係合する係合部８７７が設けられている。この係合部８７７と上記前側壁６３に形成された係合穴６３３とは互いに係合する係合手段を構成する。このように構成されたスライダ８７は、上記両側板８７２、８７２に形成された第１の長穴８７３、８７３に第１の支持ピン８８が挿通され、また、第２の長穴８７４、８７４に第２の支持ピン８９が挿通される。この第１の支持ピン８８および第２の支持ピン８９の両端は、基板９０の一部を切り起こして形成された支持ブラケット９０１、９０１および９０２、９０２に各々支持されている。上記スライダ８７の両側板８７２、８７２に形成された第１の長穴８７３、８７３および第２の長穴８７４、８７４と支持ブラケット９０１、９０１および９０２、９０２に各々支持された第１の支持ピン８８および第２の支持ピン８９は、スライダ８７を前後方向に移動可能でかつ後端部を支点として上下方向に揺動可能に支持する支持手段を構成している。上記第２の支持ピン８９と該第２の支持ピン８９より後端側において上記スライダ８７の上板８７１に設けられた係止部８７８との間に引っ張りコイルばね９２が張設されており、該引っ張りコイルばね９２の張力によりスライダ８７は常に前端側に移動すべく付勢されている。従って、スライダ８７は、組み付けられた状態ではその前端が前側板８５に当接している（図１１参照）。このとき、上記第１の支持ピン８８がスライダ８７の両側板８７２、８７２に設けられた第１の長穴８７３、８７３の略中間部に位置し、上記第２の支持ピン８９が第２の長穴８７４、８７４の傾斜部８７４ｂと第２の平行部８７４ｃと接続部に位置するように構成されている。この状態から、スライダ８７の前端部を上方に持ち上げると、スライダ８７は第１の支持ピン８８を中心として回動しつつ上記第２の支持ピン８９が挿通された第２の長穴８７４、８７４に案内され前端側に移動して、係止部８７６が前側板８５に形成された穴８５３に達すると、図１５に示すように係止部８７６が穴８５３に嵌合し、穴８５３の下縁と係止部８７６の係止凹部８７６ａが係合して、スライダ８７はその前端が前側板８５の上端より上側に位置付けられた傾斜下状態で保持される。このとき、上記第１の長穴８７３、８７３の後端が第１の支持ピン８８に位置し、第２の長穴８７４、８７４の第１の平行部８７４ａの後端が上記第２の支持ピン８９に位置付けられる。
【００２７】
転写ベルトユニット２９をクラムシェルタイプの下側ハウジング２５に装着するためのスライダ機構は以上のように構成されており、以下、転写ベルトユニット２９の装着手順について説明する。まず、スライダ８７の前端部を上方に持ち上げ、図１５に示すように係止部８７６の係止凹部８７６ａを前側板８５に形成された穴８５３の下縁に係合して傾斜した状態に保持する。この状態で、スライダ８７の載置面８７１ａ上に転写ベルトユニット２９のユニットハウジング６０に形成された摺動レール６５４の摺動面６５７を載置し、転写ベルトユニット２９をスライダ８７の載置面８７１ａに沿って移動させて図１６に示す位置に達すると、摺動レール６５４の後端がスライダ８７の後端に設けられたストッパ８７５、８７５に当接する。一方、ユニットハウジング６０の前側壁６３に形成された係合穴６３３がスライダ８７に設けられた係合部８７７係合して、転写ベルトユニット２９とスライダ８７とが一体化する。このとき、転写ベルトユニット２９の駆動ローラ４３に装着された被駆動歯車４８が後側板８６に形成された穴８６１を挿通し、位置規制部材４７の案内部４７１が上記穴８６１の上縁部に当接した状態となっている。また、トナー搬送部材６９の案内筒６９３に嵌合された閉塞筒７２が後側板８６に形成された穴８６２に挿入された状態となっている。図１６の状態から、転写ベルトユニット２９とスライダ８７を後方に押すと、上記係止部８７６と上記穴８５３との係合が解除されるため、転写ベルトユニット２９とスライダ８７は第１の支持ピン８８を支点として下方に旋回しつつ上記第２の支持ピン８９が挿通された第２の長穴８７４、８７４に案内され、図１７に示すように略水平状態になると前側壁６３の取付部６３４の位置に対応する底壁６５が前側板８５に形成された切欠部８５２の底縁８５４に当接する。このとき、位置規制部材４７は後側板８６に形成された穴８６１に円錐面を有する案内部４７１が案内されて嵌合部４７２が嵌合して位置決めされるとともに、フランジ部４７３が後側板８６に当接する。また、トナー搬送部材６９の案内筒６９３に嵌合された閉塞筒７２は、後側板８６の後方に配設された廃トナーボックス９５に設けられた穴９５１に挿入され、フランジ７２２が後側板８６に当接する。なお、駆動ローラ４３の前端部に装着された着脱部材４６と歯車４５の間の小径部が前側板８５に形成された円形支持穴８５１にその上方開口部から嵌合される。図１７に示す状態から、転写ベルトユニット２９とスライダ８７を更に後方に押すと、図１８に示すように上記取付部６３４が前側板８５に当接する。このとき、図１２に示すように前側板８５に設けられた位置決めピン９６に上記取付部６３４に形成された位置決め穴６３５が嵌合する。また、着脱部材４６は位置規制手段４６５を構成する案内部４６３の円錐面に案内されて上記円形支持穴８５１内を移動し、嵌合部４６４が円形支持穴８５１と嵌合して位置規制される。この状態で、図１２に示すように上記取付部６３４に形成された取付ボルト挿通用の穴６３６に取付ボルト９７１を挿入し前側板８５に形成されたねじ穴に螺合するとともに、着脱部材４６に形成された取付ボルト挿通用の穴４６１および４６２に取付ボルト９７２および９７３を挿入し前側板８５に形成されたねじ穴に螺合することにより、転写ベルトユニット２９をクラムシェルタイプの下側ハウジング２５に装着固定することができる。一方、転写ベルトユニット２９の後端側においては、図１８に示すように駆動ローラ４３に装着された被駆動歯車４８が後側板８６に取り付けられた短軸９８に回転自在に装着され図示しない駆動装置に伝動連結された伝動歯車９９と噛合する。また、トナー搬送部材６９の案内筒６９３に嵌合された閉塞筒７２は、フランジ７２２が後側板８６に当接して移動しないが、案内筒６９３は移動するため、その先端部が閉塞筒７２から廃トナーボックス９５内に突出してトナー搬送部材６９によって搬送される廃トナーの排出を可能にする。以上のようにして下側ハウジング２５に装着された転写ベルトユニット２９を部品交換等のために取り外す場合は、上記装着手順の逆の操作を行うことによって容易に取り外すことができる。
【００２８】
以上のように転写ベルトユニット２９をクラムシェルタイプの機体ハウジングを構成する下側ハウジング２５に装着した状態における像担持体３との位置関係が図１９に示されている。即ち、転写ベルトユニット２９の転写ローラ５０が像担持体３の略真下に対向して位置付けられ、転写ベルト５７と像担持体３との間には間隙が設けられている。また、転写ベルト５７と転写ローラ５０との間にも１．００ｍｍ〜２．００ｍｍ程度の間隙が設けられている。このように、機体ハウジングを構成する下側ハウジング２５に装着された転写ベルトユニット２９のベルトユニット３０は、転写時には、後述する接離手段によって上記駆動ローラ４３を中心として上方に回動せしめられて転写位置に位置付けられ、図２０に示すように転写ベルト５７が像担持体３の外周面に接触するとともに転写ローラ５０によって押圧される。以下、接離手段について主に図１１、図１９および図２０を参照して説明する。
【００２９】
接離手段は下側ハウジング２５を構成する基板８７の上方に前後方向に配設され前側板８５と後側板８６に回転自在に支持された作動軸１００を具備している。該作動軸１００の後端部には、後述するカムによって作動せしめられるレバー１０１が取り付けられている。該レバー１０１を作動せしめるカム１０２は、前側板８５に回転自在に軸支された回転軸１０３に装着されている。上記レバー１０１と前側板８５との間には引っ張りコイルばね１０５が装着されており、従って、レバー１０１は常にカム１０２の外周面に接触せしめられている。上記回転軸１０３には被駆動歯車１０４が装着されており、該被駆動歯車１０４が図示しない駆動装置に伝動連結されている。従って、被駆動歯車１０４が回転駆動せしめられると、カム１０２の作用によりカム１０２の外周面に接触しているレバー１０１は所定の角度範囲で回動し、作動軸１００を所定の角度範囲で往復回動する。作動軸１００には、前側板８５および後側板８６から各々やや中央に寄った位置にばね鋼によって形成された接離用作動レバー１０６および１０７が装着されている。この接離用作動レバー１０６と１０７は下側ハウジング２５に装着された転写ベルトユニット２９のユニットハウジング６０の底壁６５に形成された開口６５２および６５３に対応する位置に位置付けられている。また、作動軸１００の中央部には上記クリーニングブレード７５および紙粉除去部材７６を装着したホルダ７４を取り付ける取付部材７７に形成された被作動レバー７７３の上面に接触するばね鋼によって形成されたクリーニング用作動レバー１０８が装着されている。これら被作動レバー７７３、クリーニング用作動レバー１０８、作動軸１００および上記レバー１０１、カム１０２などは、クリーニングブレード７５および紙粉除去部材７６を装着したホルダ７４を上記接離手段によるベルトユニット６０の作動方向に対応して作動せしめる作動機構を構成しており、接離手段と共通の駆動源によって作動せしめられる。
【００３０】
図示の実施例による画像形成機の転写装置は以上のように構成されており、以下その作用について説明する。転写ベルトユニット２９を下側ハウジング２５に上記のようにして装着した状態（図１９）から画像形成機が作動すると、図示しない駆動装置によって被駆動歯車１０４が回転駆動される。被駆動歯車１０４が回転駆動されることにより、カム１０２も回転せしめられ図２０で示す転写位置に達したとき停止される。カム１０２が図２０で示す転写位置まで回動するに伴い、カム１０２の外周面に接触しているレバー１０１が上方に揺動して、作動軸１００を図２０において半時計方向に回動せしめる。従って、作動軸１００に装着された接離用作動レバー１０６および１０７が上方に揺動され、ベルトユニット３０を構成する支持板３５および３６の下面に当接してベルトユニット３０を駆動ローラを中心として上方に回動して押し上げる。これにより、転写ベルト５７が像担持体３に圧接せしめられ、更に転写ローラ５０が転写ベルト５７に圧接せしめられる。この圧接で転写ローラ５０のローラ部が０．５ｍｍ〜１．０ｍｍ程度圧縮されることにより、転写ベルト５７を所定の圧接力で像担持体３に均一に接触させることができる。一方、上記作動軸１００に装着されたクリーニング用作動レバー１０８が下方に揺動せしめられ、従って、該作動レバー１０８と接触している被作動レバー７７３を備えた取付部材７７が支持軸７８を中心として図２０において時計方向に回動せしめられる。これにより、取付部材７７を取り付けたホルダ７４が図２０で示す位置に作動して、該ホルダ７４に装着されたクリーニングブレード７５のエッジ部に転写ベルト５７に圧接せしめられる。また、この状態でホルダ７４に装着されている紙粉除去部材７６のクリーニングブレード７５側のエッジ部が転写ベルト５７に接触せしめられる。
【００３１】
次に、上記図示しない駆動装置に伝動連結された伝動歯車９９を介して被駆動歯車４８が回転駆動されると、該被駆動歯車４８を装着した駆動ローラ４３が回転せしめられる。駆動ローラ４３が回転すると、転写ベルト５７が矢印Ｂ方向に作動せしめられる。また、駆動ローラ４３が回転すると、該駆動ローラ４３に装着された歯車４５および中間歯車７１を介して被駆動歯車７０が回転せしめられる。被駆動歯車７０が回転すると、該被駆動歯車７０を装着したトナー搬送部材６９が回転する。一方、転写ローラ５０に電圧印加手段２００（図１参照）によって所定の電圧が印加される。該転写ローラ５０を介して転写ベルト５７に所定の極性の電荷が帯電せしめられる。従って、像担持体３と転写ベルト５７の間に転写紙が供給されると、像担持体３と転写ベルト５７とが対向する転写部において転写ベルト５７に帯電した電荷の作用により、像担持体３の表面に形成されているトナー像は転写紙に順次吸引され転写せしめられる。トナー像が転写された転写紙は、転写ベルト５７によって搬送され、定着ローラ対２３により定着されて、排出ローラ対２４から排出される。なお、転写ベルト５７の表面に付着されたトナーは、矢印Ｂ方向に移動している際にクリーニングブレード７５によって掻き落とされ、廃トナー収容部６８に落下する。廃トナー収容部６８に落下したトナーは、トナー搬送部材６９によって後方側に搬送され、案内筒６９３の先端から廃トナーボックス９５内に排出される。
【００３２】
次に、非転写時には、駆動ローラ４３が停止されるとともに、転写ローラ５０への電圧印加が遮断される。そして、図示しない駆動装置によって被駆動歯車１０４を回転駆動し、カム１０２を図１９で示す位置に位置付ける。カム１０２が図１９で示す位置まで回動するに伴い、カム１０２の外周面に接触しているレバー１０１が下方に揺動して、作動軸１００を図１９において時計方向に回動せしめる。従って、作動軸１００に装着された接離用作動レバー１０６および１０７が下方に揺動され、従って、ベルトユニット３０は駆動ローラを中心として下方の旋回して支持板３５および３６がユニットハウジング６０の底壁６５に当接して停止し図１９に示す非転写位置の状態となる。即ち、像担持体３と転写ベルト５７および転写ベルト５７と転写ローラ５０とは、夫々離隔せしめられる。従って、転写ローラ５０が転写ベルト５７に常時接触していることによって生ずる転写ローラ５０の変形を未然に防止することができる。一方、上記作動軸１００に装着されたクリーニング用作動レバー１０８が上方に揺動せしめられ、従って、該作動レバー１０８と接触している被作動レバー７７３を備えた取付部材７７が支持軸７８を中心として図１９において時計方向に回動せしめられる。これにより、取付部材７７を取り付けたホルダ７４が図１９で示す位置に作動して、該ホルダ７４に装着されたクリーニングブレード７５が転写ベルト５７から離隔する。従って、クリーニングブレード７５が転写ベルト５７に常時圧接していることによって生ずる転写ベルト５７の変形を未然に防止することができる。また、この状態においてもホルダ７４に装着されている紙粉除去部材７６は、クリーニングブレード７５側と反対側のエッジ部が転写ベルト５７に接触せしめられる。このように、紙粉除去部材７６は常時転写ベルト５７に接触せしめられているので、ベルトユニット３０の離隔時に転写ベルト５７のクリーニングブレード７５が接触していた位置に溜まって付着していたトナーが転写ベルトの慣性によって停止するまでの間に移動しても紙粉除去部材７６によってならされるため、つぎの転写時にトナーが溜まった状態で転写ベルトに付着して移動することによる機内への落下を未然に防止することができる。
【００３３】
【発明の効果】
本発明による画像形成機の転写装置は以上のように構成され、ベルトユニットの該転写ベルトは、その幅が該一対の支持板の間隔より大きく形成されており、その側端部が該一対の支持板のそれぞれ厚さ方向の一部を包囲して配設されているので、転写ベルトに付着したトナー粉が一対の支持板と転写ベルトによって形成される空間内に侵入し難くなっている。従って、各ローラを軸支する軸受へのトナー粉の侵入および転写ローラへのトナー粉の付着が防止でき、軸受の機能不良に起因する上記各ローラの回転不良に基づく転写ベルトの蛇行や片寄り等の不具合が発生、およびトナー粉の付着による転写不良の発生を未然に防止することができる。
【００３４】
また、本発明によれば、上記ベルトユニットの転写ローラを回転自在に軸支する軸受は、一対の支持板に各々内面から外方に埋め込まれた位置に配設されているので、該軸受へのトナー粉の侵入が更に確実に防止でき、特に転写性能に影響を及ぼす転写ローラを常に円滑に作動することができる。
【００３５】
更に本発明によれば、上記一対の支持板には、転写ベルトの側方への移動を規制する蛇行防止部材がされているので、転写ベルトが片方に移動して上記支持板の内端と転写ベルの側端との間に隙間が生じることはなく、転写ベルト内へのトナー粉の侵入を防止することができる。従って、各ローラを軸支する軸受へのトナー粉の侵入および転写ローラへのトナー粉の付着が防止でき、軸受の機能不良に起因する上記各ローラの回転不良、およびトナー粉の付着による転写不良の発生を確実に防止することができる。
【図面の簡単な説明】
【図１】本発明に従って構成された転写装置を装備した画像形成機の一実施例を示す概略構成図。
【図２】本発明に従って構成された転写装置を装備したクラムシェルタイプの画像形成機の正面図。
【図３】本発明に従って構成された転写装置を構成する転写ベルトユニットの斜視図。
【図４】図３に示す転写ベルトユニットの平面図。
【図５】図３に示す転写ベルトユニットの一部を破断して示す正面図。
【図６】図３に示す転写ベルトユニットの断面図。
【図７】図３に示す転写ベルトユニットを構成するベルトユニットの斜視図。
【図８】図７に示すベルトユニットを構成する駆動ローラの断面図。
【図９】図７に示すベルトユニットを構成する各ローラの支持構造を示す断面図。
【図１０】図３に示す転写ベルトユニットを構成するユニットハウジングの斜視図。
【図１１】図３に示す転写ベルトユニットを装着する機体ハウジングの装着部を示す平面図。
【図１２】図３に示す転写ベルトユニットを機体ハウジングに装着した状態を示す正面図。
【図１３】図３に示す転写ベルトユニットを機体ハウジングに装着した状態を示す背面図。
【図１４】図３に示す転写ベルトユニットを機体ハウジングに装着するためのスライダの斜視図。
【図１５】図１４に示すスライダの引き出した状態を示す側面図。
【図１６】図１５に示すスライダに転写ベルトユニットを載置した状態を示す側面図。
【図１７】図１６に示すスライダに転写ベルトユニットを載置した状態からスライダおよび転写ベルトユニットを機体ハウジング内に押し込んだ状態を示す側面図。
【図１８】図１７に示す状態からスライダおよび転写ベルトユニットを機体ハウジングの所定の装着位置に移動させた状態を示す側面図。
【図１９】機体ハウジングに装着した転写装置の断面図。
【図２０】機体ハウジングに装着した転写装置を転写状態とした断面図。
【符号の説明】
２：画像形成機
３：像担持体
４：帯電用コロナ放電器
５：現像装置
６：転写装置
７：クリーニングユニット
８：除電ランプ
９：照射ランプ
１０：第１のミラー
１１：第２のミラー
１２：第３のミラー
１３：レンズ
１４：第４のミラー
１５：転写紙供給装置
１６：転写紙カセット
１７：転写紙送出ローラ
１８：給紙ローラ対
１９：案内路
２０：搬送ローラ対
２１：案内路
２２：レジストローラ対
２３：定着ローラ対
２４：排出ローラ対
２５：下側ハウジング
２６：上側ハウジング
２９：転写ベルトユニット
３０：ベルトユニット
３１：支持フレーム
３５：支持板
３６：支持板
３９：支持板
４０：支持板
４３：駆動ローラ
４６：着脱部材
４７：位置規制部材
４８：被駆動歯車
４９：従動ローラ
５０：転写ローラ
５１：テンションローラ
５２：アースローラ
５７：転写ベルト
５８：蛇行防止部材
６０：ユニットハウジング
６３：前側壁
６４：後側壁
６５：底壁
６６：左側壁
６７：右側壁
６８：廃トナー収容部
７４：ホルダ
７５：クリーニングブレード
７６：紙粉除去部材
８０：シール板
８１：シール材
８５：前側板
８６：後側板
８７：スライダ
９０：基板
８８：第１の支持ピン
８９：第２の支持ピン
９２：引っ張りコイルばね
１００：作動軸
１０２：カム
１０４：被駆動歯車
１０５：引っ張りコイルばね
１０６：接離用作動レバー
１０７：接離用作動レバー
１０８：クリーニング用作動レバー
６５４：摺動レール
８７３：第１の長穴
８７４：第２の長穴
８７６：係止部
８７７：係合部
【図１】
0003770930.tif 000002
【図２】
0003770930.tif 000003
【図３】
0003770930.tif 000004
【図４】
0003770930.tif 000005
【図５】
0003770930.tif 000006
【図６】
0003770930.tif 000007
【図７】
0003770930.tif 000008
【図８】
0003770930.tif 000009
【図９】
0003770930.tif 000010
【図１０】
0003770930.tif 000011
【図１１】
0003770930.tif 000012
【図１２】
0003770930.tif 000013
【図１３】
0003770930.tif 000014
【図１４】
0003770930.tif 000015
【図１５】
0003770930.tif 000016
【図１６】
0003770930.tif 000017
【図１７】
0003770930.tif 000018
【図１８】
0003770930.tif 000019
【図１９】
0003770930.tif 000020
【図２０】
0003770930.tif 000021